(57)【要約】【課題】保冷枕や氷嚢枕を使用する際、結露による水分で、保冷枕や氷嚢枕と接している主に枕や布団が濡れないようにすること。【解決手段】本体部に高吸水性ポリマーを内在させ、吸水した水分が本体部から洩れないように、本体部の外側に、防水性樹脂フィルムなどを用いて止水フィルムを張り付け、本体部で包んだり、挟んだりして、保冷枕や氷嚢枕が枕や布団などと直接接しないようにするとともに、保冷枕や氷嚢枕が吸熱する際、発生する結露による水分を本体部の高吸水性ポリマーで吸水させることで、主に枕や布団が濡れないようにできる。【選択図】    図１
2006141948.tif 000002
【特許請求の範囲】
【請求項１】
本体部に高吸水性ポリマーを内在させ、本体部を使用する際、吸水した水分が、枕や布団と接する本体部から洩れないように、本体部の外側表面に止水目的で、防水性樹脂フィルムなどを用いて止水フィルムを張り付け、頭部などを冷やす目的で使用される保冷材を用いた保冷枕や水分を入れて使用する氷嚢枕などを本体部で包み込むか、少なくとも、本体部と接する、主に枕や布団が濡れないように使用する短いシート状とし、保冷枕や氷嚢枕と接する枕や布団の間に挟み込んで使用することで、保冷枕や氷嚢枕が枕や布団と直接接しないようにするとともに、保冷枕や氷嚢枕が吸熱する際、発生する結露による水分を本体部の高吸水性ポリマーで吸水させて、枕や布団が結露による水分で濡れないようにするための保冷枕や氷嚢枕のカバー具。
【発明の詳細な説明】
【技術分野】
【０００１】  本体部に高吸水性ポリマーを内在させ、本体部を使用する際、吸水した水分が、枕や布団と接する本体部から洩れないように、本体部の外側表面に止水目的で、防水性樹脂フィルムなどを用いて止水フィルムを張り付け、頭部などを冷やす目的で使用される保冷材を用いた保冷枕や水分を入れて使用する氷嚢枕などを本体部で包み込むか、少なくとも、本体部と接する主に枕や布団が濡れないように使用する短いシート状とし、保冷枕や氷嚢枕と接する枕や布団の間に挟み込んで使用することで、保冷枕や氷嚢枕が枕や布団と直接接しないようにするとともに、保冷枕や氷嚢枕が吸熱する際、発生する結露による水分を本体部の高吸水性ポリマーで吸水させることで、吸水した水分が洩れ、枕や布団が洩れた水分で濡れないようにするための保冷枕や氷嚢枕のカバー具に関する。
【背景技術】
【０００２】  頭部などを冷やす目的で使用される保冷枕や氷嚢枕などを包み込んだり、保冷枕や氷嚢枕と枕や布団の間に挟み込んだりして使用し、保冷枕や氷嚢枕が吸熱する際、発生する結露によって、主に枕や布団が水分で濡れないようにするための保冷枕や氷嚢枕のカバー具は従来なく、保冷枕や氷嚢枕をバスタオルなどの繊維で包んで吸水していたが、吸水したあとの水分の保持力に問題があって、保冷枕や氷嚢枕を長時間使用すると、結局、保冷枕や氷嚢枕の下側の枕や布団を濡らしてしまっていた。
【発明の開示】
【発明が解決しようとする課題】
【０００３】  次のような問題があった。【０００４】  頭部などを冷やす目的で使用される保冷枕や氷嚢枕などを包み込んだり、保冷枕や氷嚢枕と枕や布団の間に挟み込んだりして使用し、保冷枕や氷嚢枕が吸熱する際、発生する結露によって、枕や布団などが水分で濡れないようにするための保冷枕や氷嚢枕のカバー具は従来なく、殆どの家庭では、一般的に保冷枕や氷嚢枕を使用する際、冷蔵庫などでよく冷やした保冷枕や氷嚢枕をバスタオルなどの繊維で包んで吸水していたが、吸水したあと、バスタオルなどの繊維だけでは水分の保持力の問題で、吸水された水分は、やがて、時間の経過とともに、保冷枕や氷嚢枕と接する下側の枕や布団まで移行し、保冷枕や氷嚢枕と接している下側の枕や布団を濡らしてしまい、翌朝には、濡れた枕や布団を乾さなくてはならなくなっていた。【０００５】  また、保冷枕や氷嚢枕をバスタオルなどの繊維で包んで使用していると、結露による水分で、枕や布団や額などの上に置いた保冷枕や氷嚢枕と接している部分も濡れてしまうので、保冷枕や氷嚢枕と接している頭部の頭髪や額もびしょびしょになって気持ち悪かった。
【課題を解決するための手段】
【０００６】  本体部に高吸水性ポリマーを内在させ、本体部を使用する際、吸水した水分が、枕や布団と接する本体部から洩れないように、本体部の外側表面に止水目的で、防水性樹脂フィルムなどを用いて止水フィルムを張り付け、頭部などを冷やす目的で使用される保冷材を用いた保冷枕や水分を入れて使用する氷嚢枕などを本体部で包み込むか、少なくとも、本体部と接する、主に枕や布団が濡れないように使用する短いシート状とし、保冷枕や氷嚢枕と接する枕や布団の間に挟み込んで使用することで、保冷枕や氷嚢枕が枕や布団と直接接しないようにするとともに、保冷枕や氷嚢枕が吸熱する際、発生する結露を本体部の高吸水性ポリマーで吸水させて、主に枕や布団が結露で濡れないようにするための保冷枕や氷嚢枕の吸水具となり、よく冷やした保冷枕や氷嚢枕を、従来のように、バスタオルなどの繊維で包んで使用する場合に比べて、本体部に内在する高吸水性ポリマーの吸水力、取り込んだ水分を外に出さないという、高吸水性ポリマーの保持力によって、保冷枕や氷嚢枕と接する下側の枕や布団を濡らしてしまうこともなくなり、翌朝、濡れた枕や布団を乾さなければならない面倒さがなくなるのである。
【発明の効果】
【０００７】  本体部は、高吸水性ポリマーを内在させ、吸水した水分が洩れないように、本体部を使用する際、枕や布団と接する本体部の外側表面に、樹脂フィルムなどを用いて止水フィルムを張り付けているので、頭部などを冷やす目的で使用される保冷枕や氷嚢枕などを、本体部で包み込んで使用すれば、保冷枕や氷嚢枕が吸熱する際、周囲の空気が冷やされて発生する結露を本体部の高吸水性ポリマーで吸水させて、枕や布団が結露で濡れないようにすることができ効果的である。【０００８】  頭部などを冷やす目的で使用される保冷枕や氷嚢枕などを、本体部で包み込んで使用すれば、枕や布団が結露で濡れないようにすることができ、従来のように、翌朝、濡れた枕や布団を乾かす必要がなくなり便利である。【０００９】  風邪の熱を下げるために保冷枕や氷嚢枕を使用しても、汗に加えて結露による水分で頭髪が濡れ、体調の回復が遅れないように、頭部などを冷やす目的で使用される保冷枕や氷嚢枕などを、本体部で包み込んで使用すれば、保冷枕や氷嚢枕が吸熱する際、周囲の空気が冷やされて発生する結露を本体部の高吸水性ポリマーで吸水するので、保冷枕や氷嚢枕などと、頭部は接触せず、結露による水分で頭髪が濡れる心配が減り効果的である。【００１０】  頭部などを冷やす目的で使用される保冷枕や氷嚢枕などを、本体部で包み込んで使用しないでも、本体部を、保冷枕や氷嚢枕などと、枕や布団の間に挟んで使用すれば、保冷枕や氷嚢枕などの下側の枕や布団は濡れなくなるのである。【００１１】  保冷枕や氷嚢枕などと一緒に冷凍庫に入れて、一緒に冷やしても、高吸水性ポリマーの結露した水分を吸水するくらいの水分量であれば、吸水性に影響なく使用できるので、予め、保冷枕や氷嚢枕などと一緒に冷凍庫に入れて冷やしておくと、出してきてすぐ使用でき便利である。【００１２】  本体部は、紙おむつが量産できることから、量産が可能であり、紙おむつのように汚物が付着しないので、紙おむつのように一回使用して廃棄する必要はなく繰り返し使用できるようにすることも、一、二回使用して廃棄するようにもできるので効果的である。
【発明を実施するための最良の形態】
【００１３】  以下、本発明の実施の形態について説明する。【００１４】  本体部（１）に高吸水性ポリマー（２）を内在させ、本体部（１）を使用する際、枕（８）や布団（９）と接する本体部（１）の外側表面に、止水目的で、防水性樹脂フィルムなどを用いて止水フィルム（３）を張り付け、本体部（１）で、頭部などを冷やす目的で使用される保冷枕（４）や氷嚢枕などを包み込むようにして使用するか、少なくとも、本体部（１）と接する、主に枕（８）や布団（９）が濡れないように使用する短いシート状とし、保冷枕（４）や氷嚢枕と接する枕（８）や布団（９）の間に挟み込んで使用することで、保冷枕（４）や氷嚢枕が枕（８）や布団（９）と直接接しないようにするとともに、保冷枕（４）や氷嚢枕が吸熱する際、発生する結露による水分を本体部（１）の高吸水性ポリマー（２）で吸水させて、枕（８）や布団（９）が結露による水分で濡れないようにする目的の保冷枕（４）や氷嚢枕のカバー具である。【００１５】  本体部（１）は、主に繊維や不織布、綿などで構成され、高吸水性ポリマー（２）を内在させることで、結露により発生した水分を吸水し、取り込んだ水分をそのまま保持することができるようになるので、バスタオルなどの繊維のように、吸水した水分が再び外に洩れ出して、枕（８）や布団（９）に移行することがなくなり効果的である。【００１６】  本体部（１）に、高吸水性ポリマー（２）を内在させることで、結露により発生した水分を吸水し、吸水した水分をそのまま保持することができる上に、結露により発生した水分くらいの量であれば、洗濯物を乾すように外に乾さなくとも、家の中で容易に乾燥し、そのまま保冷枕（４）や氷嚢枕に取り付けたまま、保冷枕（４）や氷嚢枕と一緒に、冷蔵庫や冷凍庫に入れておいても、次回使用時に差し障りはないので便利である。【００１７】  本体部（１）で保冷枕（４）や氷嚢枕を包み込むようにして使用する場合、保冷枕（４）や氷嚢枕の形状は、縦より横の方が長い目の長方形状なので、本体部（１）の形状も、長方形状の保冷枕（４）や氷嚢枕を包み込むような形状とし、長方形状の保冷枕（４）や氷嚢枕の大きさは、大人用と子供用で分かれているくらいで大きさのバリエーションは少ないので、本体部（１）の大きさも、長方形状の保冷枕（４）や氷嚢枕の大きさに合わせて、本体部（１）で包み込める大きさにしておくと効果的である。【００１８】  本体部（１）の形状は、袋状か、長いシート状にすると、保冷枕（４）や氷嚢枕を全体的に包み込んで使用することができるようになり、枕（８）や布団（９）を濡らさないことにおいて効果的であり、本体部（１）を短いシート状にして、コンパクトにした場合でも、保冷枕（４）や氷嚢枕と接する枕（８）や布団（９）の間に挟み込んで使用すれば、枕（８）や布団（９）を濡らさないことに一定の効果が期待できるのである。【００１９】  本体部（１）の形状を、シート状にする場合、就寝中に、本体部（１）収容している保冷枕（４）や氷嚢枕が、本体部（１）から外に飛び出さないようにするために、本体部（１）の内面周囲に、保冷枕（４）や氷嚢枕を収容している本体部（１）の中央方向へ折り返すようなギャザー部（６）などをポリウレタンや���然ゴムを用いて設けておくと効果的であり本体部（１）を長いシート状にして保冷枕（４）や氷嚢枕を包み込んで使用するときは、本体部（１）の内面の両サイドにマジックテープ部（７）を取り付け、マジックテープ部（７）で遮って収容した保冷枕（４）や氷嚢枕が就寝中に、本体部（１）から外に飛び出ないようにすると効果的である。【００２０】  本体部（１）の形状を袋状にする場合は、収容した保冷枕（４）や氷嚢枕が、就寝中にずれて飛び出さなければ良いので、巾着袋のように、出し入れ口部分を紐で縛らなくとも、布製の手提げバッグのような、一方に出し入れ口がある袋状であれば、保冷枕（４）や氷嚢枕を袋状の本体部（１）から出し入れが容易にできるようになり便利である。【００２１】  本体部（１）で保冷枕（４）や氷嚢枕を包んで使用し、本体部（１）から保冷枕（４）や氷嚢枕を出し入れするとき、本体部（１）の形状は長いシート状の方が便利であり、さらに、本体部（１）の形状を、袋状、或いは、一部を袋状にすると、就寝中や使用中に、本体部（１）に収容している保冷枕（４）や氷嚢枕が、より飛び出しにくくなるとともに、持ち運び時にも、本体部（１）に収容している保冷枕（４）や氷嚢枕が脱落しにくくなり便利である。【００２２】  本体部（１）の形状を袋状にする場合、保冷枕（４）や氷嚢枕を出し入れする挿入口は、袋状の本体部（１）のどちら側に設けても良く、また、挿入口付近にギャザー部（６）を設けておくと、内部の保冷枕（４）や氷嚢枕が、本体部（１）から飛び出さなくなり効果的である。【００２３】  本体部（１）の大きさを小さくし、さらに、高吸水性ポリマー（２）部を薄くして、保冷枕（４）や氷嚢枕の冷たさを額などに伝達できるようにしておけば、額などに乗せて使用する小さ目の保冷枕（４）や氷嚢枕を包んで、額などに乗せて使用し、結露によって発生した水分を額などに移行させることが防げるようになり便利である。【００２４】  本体部（１）の強度は、引っ張ったりする力がかかることがほとんどないので、引っ張って容易に裂けない程度の強度があれば良く、肌に触れることもあるので、ソフトな肌触りがあると子供や幼児、皮膚刺激に弱い人も使用しやすくなり効果的である。【００２５】  本体部（１）の内側で、保冷枕（４）や氷嚢枕を収容しておく位置の周辺に、ギャザー部（６）を設けておくと、本体部（１）から内部に収容している保冷枕（４）や氷嚢枕が、設けたギャザー部（６）が障害となってそこから外に飛び出さなくなり便利であるが、本体部（１）の形状を袋状にしたり、ギャザー部（６）の替わりにマジックテープ部（７）を本体部（１）内側の両サイドに設けたりして、本体部（１）から内部に収容している保冷枕（４）や氷嚢枕が外に飛び出さないようにできれば、ギャザー部（６）をなくしても良いのである。【００２６】  本体部（１）の内側で、保冷枕（４）や氷嚢枕を収容しておく状態において、本体部（１）の上側と下側の位置にマジックテープ部（７）を設けておくと、本体部（１）の内側で、保冷枕（４）や氷嚢枕を収容したあと、上側と下側のマジックテープ部（７）どうしを合わせることで、就寝中や使用している間に、本体部（１）がめくれ上がらなくなり効果的である��、めくれ上がっても良いのであればマジックテープ部（７）をなくしても良いのである。【００２７】  本体部（１）の内面は、高吸水性ポリマー（２）部が、むき出しの状態のままで使用していても問題なければ表面材（５）は特に設けなくとも良いが、本体部（１）を構成する一部として、本体部（１）の内面に、主に、ポリオレフィンやポリエステルなどの不織布や、繊維素材で、高吸水性ポリマー（２）部を覆い被せておくための表面材（５）を設けておくと、高吸水性ポリマー（２）部をむき出しの状態のままで使用しなくとも良くなるのである。【００２８】  本体部（１）に高吸水性ポリマー（２）を設ける位置は、本体部（１）で保冷枕（４）や氷嚢枕を包むようにして使用する際、本体部（１）の内面の綿や不織布などの部分に高吸水性ポリマー（２）を付着させたり、混ぜ込んだりして高吸水性ポリマー（２）部として設けておき、設けた高吸水性ポリマー（２）部の上から、本体部（１）の一部である表面材（５）で覆い被せて使用できるようにしておくと効果的である。【００２９】  本体部（１）の内面の綿や不織布などの部分に高吸水性ポリマー（２）を付着させたり、混ぜ込んだりして設けた高吸水性ポリマー（２）部は、本体部（１）から取り外せないようにホットメルトやスチレン系エラストマー合成樹脂などの接着剤で固着しておくと、使用時や洗濯時に偏らなくなり効果的で、取り外せるようにしておくと、本体部（１）と高吸水性ポリマー（２）部を別々に洗濯したり、本体部（１）と高吸水性ポリマー（２）部のどちらかが汚れた場合、交換しやすくなり便利である。【００３０】  高吸水性ポリマー（２）は、ハイドロゲルポリマーとか、吸水性高分子ゲル、高分子吸収材などとも呼ばれ、主に、アクリルアミド、アクリル酸からできる水溶性高分子を架橋して水に不溶で、しかも大きく膨潤する構造の材質があり、主に、紙オムツなどに使用されている材料が一般的であるが、人体に対する安全性が高く、保冷枕（４）や氷嚢枕の結露による水分を吸水し、保持できれば、それ以外の吸水剤を用いても良いのである。【００３１】  高吸水性ポリマー（２）は、綿状パルプや吸水紙などと組み合わせて使用しても良いのである。【００３２】  高吸水性ポリマー（２）の量は、紙おむつに使用する一枚当たりと同等の量を使用すれば安心であるが、保冷枕（４）や氷嚢枕から発生する結露による水分量が、紙おむつで吸水する尿に比べて非常に少ないので、紙おむつに使用する高吸水性ポリマー（２）の量に比べて減らしても問題は生じないのである。【００３３】  本体部（１）の材質において、紙を用いるのではなく、不織布や繊維を用い、高吸水性ポリマー（２）部分を本体部（１）から予め取り外して両方を軽く洗濯できるようにすれば、何度か繰り返し使用できるようになり効果的である。【００３４】  また、高吸水性ポリマー（２）部分を本体部（１）から予め取り外すことができるようにし、新しい高吸水性ポリマー（２）部分だけを購入できるようにすることで、本体部（１）を洗濯し、高吸水ポリマー（２）部分だけを新品に交換して使用するようにしても良いのである。【００３５】  高吸水性ポリマー（２）を使用しないで、繊維の裏側に樹脂フィルムなどを用��て止水フィルム（３）張り付けて止水するだけでも、止水フィルム（３）に遮られて結露による水分を吸水した繊維から枕（８）や布団（９）への移行は抑えられるが、保冷枕（４）や氷嚢枕と、止水フィルム（３）に挟まれた繊維は濡れているので次に使用する前に乾燥させる必要があるが、高吸水ポリマー（２）を使用していれば、結露の水分量くらいの量では高吸水ポリマー（２）部表面が湿っていることも分からない状態であり、すぐ次の冷えた保冷枕（４）や氷嚢枕を本体部（１）に収容して使用することができ便利である。【００３６】  止水フィルム（３）については、本体部（１）に高吸水性ポリマー（２）を内在させているので、保冷枕（４）や氷嚢枕から発生する結露の水分量くらいは吸水してしまい、本体部（１）から吸水した水分が流れ出すことは殆どなく、枕（８）や布団（９）が濡れることはないと思われるので、本体部（１）の外側に止水フィルム（３）を必ず取り付けておかなければならにことはないのであるが、万全を期すため取り付けておいてもどちらでも良いのであり、止水フィルム（３）の替わりに、肌触りの良い綿などの繊維を本体部（１）の外側に裏打ちして取り付けておいても良いのである。【００３７】  止水フィルム（３）を取り付ける場合、本体部（１）内側表面に止水フィルム（３）張り合わせて、止水フィルム（３）の上に高吸水性ポリマー（２）部を設け、高吸水性ポリマー（２）部の上から、さらに、表面材（３）を覆い被せると、本体部（１）内側で、止水フィルム（３）と高吸水性ポリマー（２）の間に湿気が篭るので、止水フィルム（３）は、本体部（１）の外側表面に張り合わせ、本体部（１）の内側に高吸水性ポリマー（２）部を設け、その上から表面材（３）で、高吸水性ポリマー（２）部を覆った方が効果的である。【００３８】  止水フィルム（３）は、主に本体部（１）外側表面全体に張り付けると、本体部（１）で、保冷枕（４）や氷嚢枕を包むようにして使用した際、結露による水分が包んだ本体部（１）から漏れにくくなり効果的であるが、保冷枕（４）や氷嚢枕と接触する枕や布団（８）が濡れないようにするだけで良ければ、本体部（１）の上に保冷枕（４）や氷嚢枕を乗せたとき、保冷枕（４）や氷嚢枕が来る本体部（１）の位置に少なくとも止水フィルム（３）は設けておけば良いのである。【００３９】  止水フィルム（３）の材質は、吸水性が低く、水分透過率が低く、容易に折り曲げ可能な、ポリオレフィンやポリエチレン、ＰＥＴなどの防水性樹脂フィルムか、紙や繊維に樹脂コーティングした材質か、紙や繊維に薄い金属箔を蒸着させたものを使用すると、保冷枕（４）や氷嚢枕を本体部（１）で包む際、支障がなく、止水フィルム（３）で遮られて枕（８）や布団（９）を結露による水分が移行して濡らしてしまうことがなくなり効果的である。【００４０】  短いシート状の本体部（１）の場合、短いシート状の本体部（１）を枕や布団（８）の上に敷き、本体部（１）の上に保冷枕（４）や氷嚢枕を乗せ、頭部と接触する位置に来るように、本体部（１）にメッシュ、レース、薄い繊維を接続させておけば、保冷枕（４）や氷嚢枕の下側は、本体部（１）の高吸水性ポリマー（２）で吸水し、止水フィルム（３）で水���が洩れないようにしながらも、頭部と接触する保冷枕（４）や氷嚢枕の上側は、本体部（１）に接続しているメッシュ、レース、薄い繊維によって、短いシート状の本体部（１）を使用しても、頭部と接触する保冷枕（４）や氷嚢枕の上側に何もないより、頭髪が濡れることを少なくすることができるようになり効果的である。【００４１】  また、短いシート状の本体部（１）に接続しておくメッシュ、レース、薄い繊維は、複数枚、本体部（１）に接続させておくと、本体部（１）の上に乗せた保冷枕（４）や氷嚢枕と頭部の間に、本体部（１）に接続しているメッシュ、レース、薄い繊維を挟み込む際、挟み込むメッシュ、レース、薄い繊維の枚数をかえることによって、頭部への冷たさの伝わりを変えることができるようになり効果的である。
【実施例】
【００４２】  図１では、本発明の実施例図であり、本体部（１）に高吸水性ポリマー（２）を内在させ、本体部（１）の外側に止水目的で、防水性樹脂フィルムなどを用いて止水フィルム（３）を張り付け、本体部（１）の内面に、高吸水性ポリマー（２）部を覆うための表面材（５）や、保冷枕（４）や氷嚢枕などが本体部（１）から飛び出すことを防止するためのギャザー部（６）を取り付け、さらに、就寝中や使用中に、本体部（１）の端部がめくれ上がらないようにマジックテープ部（７）を設ける。【００４３】  図２では、本発明の使用状態を示す図であり、本体部（１）に高吸水性ポリマー（２）を内在させ、本体部（１）の外側、つまり、保冷枕（４）や氷嚢枕を本体部（１）で包んで枕（８）や布団（９）の上に置いたとき、枕（８）や布団（９）と接する本体部（１）の外側表面に止水目的で、防水性樹脂フィルムなどを用いて止水フィルム（３）を張り付けているので、頭部などを冷やす目的で使用される保冷枕（４）や氷嚢枕などを本体部（１）で包み込むようにして使用することにより、保冷枕（４）や氷嚢枕が、主に枕（８）や布団（９）と直接接しないようにするとともに、保冷枕（４）や氷嚢枕が吸熱する際、発生する結露による水分を本体部（１）に内在させている高吸水性ポリマー（２）で吸水し、水分を取り込んで外に逃がさないようにできるので、保冷枕（４）や氷嚢枕によって発生する結露による水分で、主に枕（８）や布団（９）が濡れないようにできるのである。
【図面の簡単な説明】
【００４４】
【図１】  本発明の実施例図である。
【図２】  本発明の使用状態を示す図である。
【符号の説明】
【００４５】１  本体部
２  高吸水性ポリマー
３  止水フィルム
４  保冷枕
５  表面材
６  ギャザー部
７  マジックテープ部
８  枕
９  布団
【図１】
2006141948.tif 000003
【図２】
2006141948.tif 000004